(57)【要約】【課題】吸盤機能を有効に活用した歯ブラシ及びこの歯ブラシを備える歯ブラシセットを提供する。【解決手段】歯ブラシセットは、長手状の歯ブラシＢａと、縦割形状のキャップＣとを有する。歯ブラシＢの柄Ｂａは、キリンの胴部及び両前足部に対応する把持部Ｈと、キリンの両後足部に対応する両吸盤部３３ａを有する。キャップＣは、上記キリンの顔部及び後頭部に対応する前側半割部４０ａ及び後側半割部４０ｂでもって構成されている。【選択図】図１
0003162247.tif 000002
【実用新案登録請求の範囲】
【請求項１】
ブラシ毛と、このブラシ毛を植設してなる先端部、この先端部から延出する頚部及びこの頚部から延出する把持部を有する長手状の柄とを備える歯ブラシにおいて、
前記柄は、前記把持部の延出端部に設けてなる吸盤体を具備してなることを特徴とする歯ブラシ。
【請求項２】
前記柄は、前記把持部をかわいい外観を有する動物の少なくとも胴部とし、前記吸盤体を前記動物の足部とする吸盤部とするように、前記把持部及び前記吸盤部の外形を形成して構成してなることを特徴とする請求項１に記載の歯ブラシ。
【請求項３】
前記柄は、前記動物をペンギン鳥とし、前記把持部を前記ペンギン鳥の少なくとも頭部及び胴部とし、かつ、前記吸盤部を前記ペンギン鳥の２足部を一体化した足部とするように、前記把持部及び前記吸盤部の外形を形成して構成してなることを特徴とする請求項２に記載の歯ブラシ。
【請求項４】
請求項１〜３のいずれか１つに記載の歯ブラシと、この歯ブラシの前記柄の先端部及び前記ブラシ毛を収容するキャップとを備える歯ブラシセット。
【請求項５】
請求項２に記載の歯ブラシと、この歯ブラシの前記柄の先端部及び前記ブラシ毛を収容するキャップとを具備して、
前記動物をキリンとし、前記頚部を上記キリンの頚部とし、かつ、前記把持部を前記キリンの胴部及び両前足部とするように、前記把持部及び前記両吸盤部の外形を形成してなり、
前記キャップは、前記キリンの顔部の外形を有する一側キャップ部と前記キリンの後頭部の外形を有する他側キャップ部とを互いに連結して構成されて、前記一側キャップ部及び前記他側キャップ部を、互いに組み合わせて、前記柄の先端部及び前記ブラシ毛を収容する歯ブラシセット。
【考案の詳細な説明】
【技術分野】
【０００１】
本考案は、歯ブラシ及びこの歯ブラシを備える歯ブラシセットに関する。
【背景技術】
【０００２】
従来、この種の歯ブラシとしては、下記特許文献１に記載の歯ブラシが提案されている。この歯ブラシは、ブラシ毛を植設してなるヘッド部と、このヘッド部から延出する首部及び柄部とにより構成されている。
【先行技術文献】
【特許文献】
【０００３】
【特許文献１】特開２００６−２３９２８号公報
【考案の概要】
【考案が解決しようとする課題】
【０００４】
ところで、上記歯ブラシにおいては、上述のようにヘッド部から延出する首部及び柄部が、当該ヘッドを支持する１本の柄として棒状に形成されているにすぎない。
【０００５】
このため、例えば、ワンルームマンション生活をしている大学生のような若者が、風呂や台所において上記歯ブラシで歯磨きをした後当該歯ブラシを置く場合、通常、ワンルームマンションの風呂や台所が非常に狭く、歯ブラシの置き場所に困ることが多い。
【０００６】
また、例えば、子供が母親に強制されて歯ブラシで歯磨きをする場合、歯磨きを終えた子供は、その場の適当な場所に、歯ブラシを置いてしまうと、当該歯ブラシは、上述のような構成のため、置いた場所に寝かせたままになることが多い。このため、その後に子供に歯磨きをさせるときに歯ブラシを見つけにくく、また、新たな歯ブラシを準備して子供に与えなければならないという不便さを生ずることもある。
【０００７】
そこで、本考案は、以上のようなことに対処するため、吸盤機能を有効に活用した歯ブラシ及びこの歯ブラシを備える歯ブラシセットを提供することを目的とする。
【課題を解決するための手段】
【０００８】
上記課題の解決にあたり、本考案に係る歯ブラシは、請求項１の記載によれば、
ブラシ毛（Ｂｂ、Ｄｂ）と、このブラシ毛を植設してなる先端部（１１、２０、５１、６０）、この先端部から延出する頚部（１２、５２）及びこの頚部から延出する把持部（Ｈ、Ｈａ）を有する長手状の柄（Ｂａ、Ｄａ）とを備える。
【０００９】
当該歯ブラシにおいて、柄は、前記把持部の延出端部に設けてなる吸盤体（３３ａ、７４ａ）を具備してなることを特徴とする。
【００１０】
このように歯ブラシは吸盤体を有する。従って、狭い住居に居住する若者が当該歯ブラシを用いて、台所とか風呂場で歯磨きをする場合、当該台所とか風呂場が狭く歯ブラシを置く場所を探しにくくても、歯ブラシの吸盤体を台所とか風呂場のタイル貼りの壁等に吸着されるだけで、当該歯ブラシを上記壁に支持することができる。従って、使用後の歯ブラシを置く場所を特に探す必要もなく便利である。
【００１１】
特に、子供は、歯磨き後に歯ブラシをどこにでも置きがちであるが、歯ブラシの吸盤体をテーブルや机或いは壁などの吸着させ易い箇所に吸着させればよいので、便利である。また、その後の使用の際にも、歯ブラシを見つけ易い。
【００１２】
また、本発明は、請求項２の記載によれば、請求項１に記載の歯ブラシにおいて、柄は、上記把持部をかわいい外観を有する動物の少なくとも胴部とし、吸盤体を動物の足部とする吸盤部とするように、上記把持部及び上記吸盤部の外形を形成して構成してなることを特徴とする。
【００１３】
これによれば、歯ブラシは、動物の少なくとも一部をかわいい外観を呈するように構成されていることから、若者や子供或いは母親を惹き付ける。このため、この歯ブラシは、若者や母親の購買意欲を増大させ得る。
【００１４】
また、上述のように歯ブラシは吸盤部を有する。従って、狭い住居に居住する若者が当該歯ブラシを購入して、台所とか風呂場で歯磨きをする場合、当該台所とか風呂場が狭く歯ブラシを置く場所を探しにくくても、歯ブラシの吸盤部を台所とか風呂場のタイル貼りの壁等に吸着されるだけで、当該歯ブラシを上記壁に支持することができる。従って、使用後の歯ブラシを置く場所を特に探す必要もなく便利である。
【００１５】
特に、子供は、歯磨き後に歯ブラシをどこにでも置きがちであるが、歯ブラシの吸盤部をテーブルや机或いは壁などの吸着させ易い箇所に吸着させればよいので、便利である。また、その後の使用の際にも、歯ブラシを見つけ易い。
【００１６】
また、本考案は、請求項３の記載によれば、請求項２に記載の歯ブラシにおいて、
柄は、動物をペンギン鳥とし、上記把持部をペンギン鳥の少なくとも頭部及び胴部とし、かつ、上記吸盤部をペンギン鳥の２足部を一体化した足部とするように、上記把持部及び上記吸盤部の外形を形成して構成してなることを特徴とする。
【００１７】
このように動物をペンギン鳥としても、請求項２に記載の考案と同様の作用効果を達成することができる。
【００１８】
また、本考案に係る歯ブラシセットは、請求項４の記載によれば、請求項１〜３のいずれか１つに記載の歯ブラシ（Ｄ）と、この歯ブラシの柄の先端部及びブラシ毛を収容するキャップ（Ｅ）とを備える。
【００１９】
これによっても、請求項１〜３のいずれか１つに記載の考案と同様の作用効果を達成することができる。
【００２０】
また、本考案に係る歯ブラシセットは、請求項５の記載によれば、
請求項２に記載の歯ブラシ（Ｂ）と、この歯ブラシの上記柄の先端部及び上記ブラシ毛（Ｂｂ）を収容するキャップ（Ｃ）とを具備して、
上記動物をキリンとし、上記頚部を上記キリンの頚部とし、かつ、上記把持部を上記キリンの胴部及び両前足部とするように、上記把持部及び上記両吸盤部の外形を形成してなり、
上記キャップは、上記キリンの顔部の外形を有する一側キャップ部と上記キリンの後頭部の外形を有する他側キャップ部とを互いに連結して構成されて、上記一側キャップ部及び上記他側キャップ部を、互いに組み合わせて、上記柄の先端部及び上記ブラシ毛を収容するものである。
【００２１】
これによれば、歯ブラシとキャップの双方でもって、かわいいキリンの擬人化した外観を呈することとなり、請求項２に記載の考案の作用効果をさらに向上されることができる。
【００２２】
なお、上記各手段の括弧内の符号は、後述する実施形態に記載の具体的手段との対応関係を示す。
【図面の簡単な説明】
【００２３】
【図１】（ａ）〜（ｃ）は、それぞれ、本考案に係る歯ブラシセットの第１実施形態を示す正面図、側面図及び背面図である。
【図２】（ａ）及び（ｂ）は、それぞれ、図１の歯ブラシセットの平面図及び下面図である。
【図３】（ａ）〜（ｃ）は、それぞれ、上記第１実施形態の歯ブラシの正面図、側面図及び背面図である。
【図４】図３（ａ）の歯ブラシの平面図である。
【図５】（ａ）〜（ｃ）は、それぞれ、図１のキャップの開状態を示す平面図、側面図及び内面図である。
【図６】（ａ）及び（ｂ）は、それぞれ、図５（ａ）のキャップの一側及び他側の各端面図である。
【図７】（ａ）〜（ｃ）は、それぞれ、本考案に係る歯ブラシセットの第２実施形態を示す正面図、側面図及び背面図である。
【図８】（ａ）及び（ｂ）は、それぞれ、図７（ａ）の歯ブラシセットの平面図及び下面図である。
【図９】（ａ）〜（ｃ）は、それぞれ、上記第２実施形態の歯ブラシの正面図、側面図及び背面図である。
【図１０】図９（ａ）の歯ブラシの平面図である。
【図１１】（ａ）〜（ｄ）は、それぞれ、図７のキャップの開状態を示す外面図、内面図、一側面図及び他側面図である。
【考案を実施するための形態】
【００２４】
以下、本考案の各実施形態を図面により説明する。
（第１実施形態）
図１は、本発明が適用されてなる歯ブラシセットの第１実施形態を示している。当該歯ブラシセット（以下、符号Ｓにて示す）は、図１（ａ）にて示すごとく、四足動物の一種であるキリンを擬人化して、両後脚部を両下肢部として立っているキリンであって両下肢部からサスペンダー付きスラックスをはかせたキリンとしての外観を有するように構成されている。即ち、当該歯ブラシセットＳは、図１或いは図３にて示すごとく、歯ブラシＢと、キャップＣとによって、上述したキリンとしての外観を有するように構成されている。
【００２５】
歯ブラシＢは、図１（ａ）〜（ｃ）及び図３（ａ）〜（ｃ）のいずれかにて示すごとく、柄Ｂａと、ブラシ毛Ｂｂとを備えており、柄Ｂａは、長手状の柄本体１０と、長楕円状緩衝層２０と、サスペンダー付きスラックス３０ａの外観形状を表す被服層３０とにより一体的に構成されている。
【００２６】
柄本体１０は、例えば、合成樹脂の１種である黄色のポリスチレン（ＰＳ）でもって形成されており、この柄本体１０は、図１及び図３のいずれかから分かるように、長楕円状緩衝層２０、ブラシ毛Ｂｂ及びキャップＣと共に上記キリンの頭部を構成する長楕円状扁平頭部１１、この扁平頭部１１から下方へ延出されて上記キリンの頚部を構成する細棒状頚部１２、この細棒状頚部１２から下方へ延出して上記キリンの胴部を構成する太棒状胴部１３、この太棒状胴部１３から下方へ延出して上記キリンの両下肢部を構成する両脚部（図示しない）とによって構成されている。なお、太棒状胴部１３は、上記キリンの胸部、腹部、背中部及び腰部に対応する外形を有する形状に形成されている。
【００２７】
長楕円状緩衝層２０は、扁平頭部１１にその背面側から装着されており、この緩衝層２０は、例えば、緑色の生ゴム材料により形成されて、歯ブラシＢで歯を磨く際の口腔内面に対する緩衝部材としての役割を果たす。
【００２８】
被服層３０は、例えば、緑色の生ゴム材料によりサスペンダー付きスラックス３０ａの外観形状を構成するように、柄本体１０の太棒状胴部１３及び両脚部の表面に沿い形成されており、当該被服層３０は、胴層部３１、この胴層部３１から上方へ延出する両帯状部３２、胴層部３１から下方へ延出する両下肢層部３３により構成されている。
【００２９】
また、サスペンダー付きスラックス３０ａは、例えば、作業着の１種であるサスペンダー付きオーバーオールに相当するもので、このサスペンダー付きスラックス３０ａは、胴周り部、この胴周り部から上方へ延出する両サスペンダー、胴周り部から下方へ延出する両下肢周り部により構成されている。
【００３０】
ここで、被服層３０の胴層部３１、両帯状部３２及び両下肢層部３３は、それぞれ、サスペンダー付きスラックス３０ａの胴周り部、両サスペンダー及び両下肢周り部をそれぞれ表す。
【００３１】
しかして、当該サスペンダー付きスラックス３０ａが、両下肢周り部を柄本体１０の両脚部にはかせ、胴周り部を柄１０の太棒状胴部１３にはかせ、両サスペンダーを太棒状胴部１３にその肩部を介してかけ、かつ、上記キリンの両前脚部を両上肢部として胴周り部の両ポケット３１ａに入れるようにした外観を呈するように、被服層３０が上述のごとく柄本体１０の表面に形成されている。
【００３２】
このように被覆層３０を柄本体１０に形成することで、柄本体１０の太棒状胴部１３並びに被覆層３０の胴層部３１及び両帯状部３２が、一体となって、柄Ｂａの把持部Ｈを構成するとともに、柄本体１０の両脚部及び被覆層３０の両下肢層部３３が、一体となって、柄Ｂａの両脚部Ｌを構成する。
【００３３】
ここで、被覆層３０の両下肢層部３３は、その延出端部にて、上記キリンの両下肢部のうち各足部に相当する各吸盤状足部３３ａを構成しており、各吸盤状足部３３ａは、それぞれ、上に凹な湾曲壁状に形成されている（図１及び図３参照）。
【００３４】
また、本実施形態では、被覆層３０は、上述のごとく、緑色の生ゴム材料でもって形成されている。従って、柄Ｂａの把持部Ｈ及び両脚部Ｌは、手触りの良い感じを有しており、吸盤状足部３３ａは、弾性変形し易くなっている。ここで、柄Ｂａの両脚部Ｌは、柄本体１０の両脚部及び被覆層３０の両下肢層部３３（吸盤状足部３３ａを含む）でもって、一体的に構成されている。
【００３５】
なお、以上のように構成した柄Ｂａは、柄本体１０ａ、緩衝層２０及び被覆層３０を一体成型により成形することで形成されている。
【００３６】
ブラシ毛Ｂｂは、図３（ａ）（ｂ）及び図４にて示すごとく、柄本体１０ａの長楕円状扁平頭部１１にその前面側から植設されており、当該ブラシ毛Ｂｂは、長楕円状扁平頭部１１の前面から前方へ直線状に延出している。しかして、このブラシ毛Ｂｂは、柄本体１０ａの長楕円状扁平頭部１１及び長楕円状緩衝層２０と共に口腔内への挿入する歯ブラシＢの口腔内挿入部を構成する。
【００３７】
キャップＣは、上述したごとく、柄本体１０ａの長楕円状扁平頭部１１、長楕円状緩衝層２０及びブラシ毛Ｂｂ（歯ブラシＢの口腔内挿入部）とともに上記キリンの頭部を構成するもので、当該キャップＣは、図１（ｂ）或いは図２（ａ）から分かるように、上記キリンの顔部及び後頭部に相当する外形を有する縦割り形状に形成されている。
【００３８】
具体的には、当該キャップＣは、図１（ａ）〜（ｃ）及び図２（ａ）のいずれかにて示すごとく、上記キリンの顔部に相当する前側半割部４０ａ及び上記キリンの後頭部に相当する後側半割部４０ｂを有するように形成されている。
【００３９】
ここで、当該キャップＣにおいて、前側半割部４０ａ及び後側半割部４０ｂは、ピンク色の合成樹脂材料でもって、図５にて示すごとく、共に外方に向け突な湾曲形状に形成されており、これら前側半割部４０ａ及び後側半割部４０ｂは、上記キリンの両耳部に相当する各先端部位４１、４２にて、互いに連結されて一体的となっている。
【００４０】
しかして、キャップＣにおいては、前側半割部４０ａが、その両突起４３（図５（ｂ）参照）にて、それぞれ、後側半割部４０ｂの各両突起４４（図５（ｂ）参照）の間に介装されて、両突起４３の各フック部４３ａにて、その弾力に抗して、当該後側半割部４０ｂの係止部４４ａに係止することで、前側半割部４０ａ及び後側半割部４０ｂが、上記キリンの顔部及び後頭部からなる頭部としての外観を構成するように組み合わされるようになっている。
【００４１】
ここで、前側半割部４０ａの両突起４３は、当該前側半割部４０ａの開口端部の長手方向両側中間部位から帯状に突出するように形成されており、当該両突起４３の各突出端部の外面には各フック部４３ａが突出形成されている。
【００４２】
後側半割部４０ｂの各両突起４４は、当該後側半割部４０ｂの開口端部の長手方向両側中間部位から前側半割部４０ａの各突起４３を挟む位置にて突出されており、当該後側半割部４０ｂの係止部４４ａは、各対応の両突起４４の間に位置して、後側半割部４０ｂの開口端部の長手方向両側中間部位から互いに対向する方向に突出されている。
【００４３】
また、前側半割部４０ａ及び後側半割部４０ｂは、それぞれ、図６（ａ）（ｂ）にて示すごとく、半円状凹部４５、４６を有しており、半円状凹部４５は、前側半割部４０ａの開口端部のうちの先端部位４１とは反対側部位にて形成されている。また、半円状凹部４６は、後側半割部４０ｂの開口端部のうちの先端部位４２とは反対側部位にて形成されている。
【００４４】
しかして、前側半割部４０ａ及び後側半割部４０ｂが上述のごとく組み合わされたとき、両半円状凹部４５、４６は互いに当接されて、柄本体１０ａの細棒状頚部１２の外径に対応する貫通孔部を構成する。
【００４５】
以上のように構成した本第１実施形態において、歯ブラシセットＳが、図１にて示すごとく、歯ブラシＢにキャップＣを組み付けた状態にあるものとする。
【００４６】
このような状態においては、歯ブラシＢａの柄１０が、その口腔内挿入部にて、キャップＣ内に収容されており、柄１０の細棒状頚部１２は、キャップＣの前側半割部４０ａ及び後側半割部４０ｂの各半円状凹部４５、４６により構成される貫通孔部から延出している。従って、歯ブラシＢａは、細棒状頚部１２、把持部Ｈ及び両脚部Ｌでもって、キャップＣから延出している。
【００４７】
ここで、キャップＣにおいては、前側半割部４０ａが、その両突起４３にて、それぞれ、後側半割部４０ｂの各両突起４４の間に介装されて、両突起４３の各フック部４３ａにて、その弾力に抗して、当該後側半割部４０ｂの係止部４４ａに係止することで、前側半割部４０ａ及び後側半割部４０ｂが、上記キリンの顔部及び後頭部からなる頭部としての外観を構成するように組み合わされている。
【００４８】
上述のように構成した歯ブラシセットＳは、その全体により、上記キリンのかわいい外観を呈することから、かわいいという感じを若者や子供に与え易い。このため、若者は、歯ブラシセットＳに対する購入意欲を増大させ、或いは、母親が自分の子供に歯磨きをさせ易くするように、歯ブラシセットＳに対する購入意欲を増大させる。このことは、歯ブラシセットＳが若者や子供による需要を高めるという効果を発揮することを意味する。
【００４９】
しかして、歯ブラシセットＳを購入した若者が、例えば、ワンルームマンションに居住している場合、若者が、例えば、夕食後に台所で歯ブラシＢでもって歯を磨いたり或いは風呂に入浴後に歯を磨いたりすることが多い。ここで、ワンルームマンションは通常狭いことからその台所や風呂場も非常に狭い。従って、歯ブラシセットＳを置く場所を見つけにくいのが通常である。
【００５０】
しかしながら、歯ブラシセットＳの柄Ｂは、上述のごとく、両吸盤状足部３３ａを有する。このため、台所或いは風呂場のタイル貼りの壁などに両吸盤状足部３３ａを押し付けて吸着させるだけで、歯ブラシセットＳを当該壁に支持することができる。従って、使用後の歯ブラシセットＳを置く場所を特に探す必要もなく便利である。
【００５１】
また、歯ブラシセットＳは、柄１０が硬い合成樹脂であるＰＳで形成されていることから、歯ブラシセットＳは、両吸盤状足部３３ａから上記壁に対し垂直に延出する状態に保持される。従って、歯ブラシセットＳは目立ち易い状態に維持されるので、歯ブラシセットＳを見つけることは容易である。
【００５２】
また、若者ではなく子供が歯ブラシセットＳを母親から与えられた場合、子供は、上述のごとく歯ブラシセットＳに対しその外観からかわいい感じをもつ。従って、子供は、歯ブラシセットＳを用いて歯を磨きくように誘導され易い。
【００５３】
また、歯磨きを終えた子供が歯ブラシセットＳを適当に置くにあたっても、歯ブラシセットＳの柄Ｂは、上述のごとく、両吸盤状足部３３ａを有する。従って、子供は、近傍の両吸盤状足部３３ａを吸着させ易い場所、例えば、テーブルや机などの密度の高い面を有する場所に両吸盤状足部３３ａを押し付けて吸着させ易い。その結果、歯ブラシセットＳが上述と同様に目立ち易い状態に維持されるので、その後の使用の際にも、歯ブラシセットＳを見つけることは容易である。
（第２実施形態）
図７は、本発明が適用されてなる歯ブラシセットの第２実施形態を示している。当該歯ブラシセット（以下、符号Ｓａにて示す）は、図７（ａ）にて示すごとく、動物のうちの鳥類の１種であるペンギン鳥を擬人化して、両脚部を一体化して立っているペンギン鳥であって蝶ネクタイをしたペンギン鳥としての外観を有するように構成されている。即ち、当該歯ブラシセットＳａは、図７或いは図９にて示すごとく、歯ブラシＤと、キャップＥとによって、上述したペンギン鳥としての外観を有するように構成されている。
【００５４】
歯ブラシＤは、図７（ａ）〜（ｃ）及び図９（ａ）〜（ｃ）のいずれかにて示すごとく、柄Ｄａと、ブラシ毛Ｄｂとを備えており、柄Ｄａは、長手状の柄本体５０と、矢尻状緩衝層６０と、上記ペンギン鳥の外観を表す表皮層７０ととにより一体的に構成されている。
【００５５】
柄本体５０は、合成樹脂の１種である青色のポリスチレン（ＰＳ）でもって形成されており、この柄本体５０は、図７及び図９のいずれかから分かるように、ブラシ毛Ｄｂを植設するための矢尻板状頭部５１、この矢尻板状頭部５１から下方へ延出する細棒状頚部５２、この細棒状頚部５２から下方へ延出して上記ペンギン鳥の外観を構成する太棒状身体部（図示しない）とによって構成されている。なお、上記太棒状身体部は、上記ペンギン鳥の帽子部、頭部、胸部、腹部、背中部、腰部、及び両下肢部を構成する単一脚部に対応する外形を有する形状に形成されている。
【００５６】
矢尻状緩衝層６０は、矢尻板状頭部５１の中央部にその背面側から形成した矢尻状凹所６１（図９（ｃ）参照）内に嵌着されており、この緩衝層６０は、青色の生ゴム材料により形成されて、歯ブラシＤで歯を磨く際の口腔内面に対する緩衝部材としての役割を果たす。
【００５７】
表皮層７０は、濃紺色の生ゴム材料により上記ペンギン鳥の外観形状を構成するように、柄本体５０の太棒状身体部の表面に沿い形成されており、当該表皮層７０は、頭層部７１、この頭層部７１から上方へ延出する帽子層部７２、頭層部７１から下方へ延出する胴層部７３及びこの胴層部７３から下方へ延出する下肢層部７４により構成されている。なお、帽子層部７２は、細棒状頚部５２の下側半分部位を包囲するように形成されており、この帽子層部７２は、細棒状頚部５２の上側半分部位の外周面に沿いその軸方向に形成した帯状連結部７２ａ（図７（ｃ）及び図９（ｃ）参照）を介し矢尻状緩衝層６０の下端部と連結するように、帯状連結部７２ａ及び矢尻状緩衝層６０と一体的に形成されている。
【００５８】
ここで、当該表皮層７０の頭層部７１、胴層部７３及び下肢層部７４は、それぞれ、上記ペンギン鳥の身体部である頭部、胸部、腹部、背中部、腰部及び両下肢部をそれぞれ表し、当該表皮層７０の帽子層部７２は、上記ペンギン鳥の帽子部を表す。
【００５９】
以上のように表皮層７０を柄本体５０に形成することで、柄本体５０の太棒状身体部のうちの頭部、胸部、腹部、背中部及び腰部並びに表皮層７０の胴層部７３が、一体となって、柄Ｄａの把持部Ｈａを構成するとともに、柄本体５０の両脚部及び柄本体５０の太棒状身体部のうちの両下肢部が、一体となって、柄Ｄａの単一の脚部Ｌａを構成する。
【００６０】
ここで、表皮層７０の下肢層部７４は、その延出端部にて、上記ペンギン鳥の両下肢部のうち各足部に相当する各吸盤状足部７４ａを構成しており、各吸盤状足部７４ａは、上に凹な湾曲壁状に形成されている（図７及び図８（ｂ）参照）。
【００６１】
また、本第２実施形態では、表皮層７０は、上述のごとく、濃紺色の生ゴム材料でもって形成されている。従って、柄Ｄａの把持部Ｈａ及び単一の脚部Ｌａは、手触りの良い感じを有しており、吸盤状足部７４ａは、弾性変形し易くなっている。ここで、柄Ｄａの脚部Ｌａは、柄本体５０の単一の脚部及び表皮層７０の下肢層部７４（吸盤状足部７４ａを含む）でもって、一体的に構成されている。
【００６２】
なお、以上のように構成した柄Ｄａは、柄本体５０、緩衝層６０及び表皮層７０を一体成型により成形することで形成されている。
【００６３】
ブラシ毛Ｄｂは、図９（ａ）（ｂ）及び図１０にて示すごとく、柄本体５０の矢尻状頭部５１にその前面側から植設されており、当該ブラシ毛Ｄｂは、矢尻状頭部５１の前面から前方へ直線状に延出している。しかして、このブラシ毛Ｄｂは、柄本体５０の矢尻状頭部５１及び矢尻状緩衝層６０と共に口腔内への挿入する歯ブラシＤの口腔内挿入部を構成する。
【００６４】
キャップＥは、上述したごとく、柄本体５０の矢尻状頭部５１、緩衝層６０及びブラシ毛Ｄｂ（歯ブラシＤの口腔内挿入部）を共に収容するもので、当該キャップＥは、図７及び図８（ａ）のいずれかから分かるごとく、左右両側半割部８０ａ、８０ｂを有するように縦割り形状に形成されている。
【００６５】
ここで、当該キャップＥにおいて、左右両側半割部８０ａ、８０ｂは、透明の合成樹脂材料でもって、図１１にて示すごとく、共に外方に向け突な湾曲形状に形成されており、これら左右両側半割部８０ａ、８０ｂは、その各連結部位８１、８１にて、互いに連結されて一体的となっている。
【００６６】
また、左右両側半割部８０ａ、８０ｂは、図１１（ｂ）或いは（ｄ）にて示すごとく、それぞれ、コ字状凹部８２、８３を有しており、これらコ字状凹部８２、８３は、左右両側半割部８０ａ、８０ｂの各開口端部の連結側近傍に形成されている。
【００６７】
しかして左右両側半割部８０ａ、８０ｂは上述のごとく組み合わされたとき、コ字状凹部８２、８３は互いに当接されて、柄本体５０の細棒状頚部５２の外径に対応する貫通孔部を構成する。
【００６８】
以上のように構成した本第２実施形態において、歯ブラシセットＳａが、図７にて示すごとく、歯ブラシＤにキャップＥを組み付けた状態にあるものとする。
【００６９】
このような状態においては、歯ブラシＤの柄Ｄａが、その口腔内挿入部にて、キャップＥ内に収容されており、柄Ｄａの細棒状頚部５２は、キャップＥの左右両側半割部８０ａ、８０ｂの各コ字状凹部８２、８３により構成される貫通孔部から延出している。従って、歯ブラシＤは、細棒状頚部５２、把持部Ｈａ及び脚部Ｌａでもって、キャップＥから延出している。
【００７０】
上述のように構成した歯ブラシセットＳａは、その歯ブラシＤにより、上記ペンギン鳥のかわいい外観を呈することから、かわいいという感じを若者や子供に与え易い。このため、若者は、上記第１実施形態と実質的に同様に、歯ブラシセットＳａに対する購入意欲を増大させ、或いは、母親が自分の子供に歯磨きをさせ易くするように、歯ブラシセットＳａに対する購入意欲を増大させる。このことは、歯ブラシセットＳａが若者や子供による需要を高めるという効果を発揮することを意味する。
【００７１】
また、歯ブラシセットＳａを購入した若者が、例えば、ワンルームマンションに居住している場合、この若者が、上記第１実施形態と同様に台所や風呂で、歯ブラシＤで歯磨きをしても、上記第１実施形態と同様の作用効果が達成され得る。
【００７２】
また、歯ブラシセットＳａは、柄１０が硬い合成樹脂であるＰＳで形成されている。従って、若者が歯磨きを終えた後に上記第１実施形態と同様に台所或いは風呂場のタイル貼りの壁などに両吸盤状足部７４ａを押し付けて吸着させれば、歯ブラシセットＳａが、両吸盤状足部７４ａから上記壁に対し垂直に延出する状態に保持されることで、上記第１実施形態と同様の作用効果を達成することができる。
【００７３】
また、若者ではなく子供が歯ブラシセットＳａを母親から与えられた場合、子供は、上述のごとく歯ブラシセットＳａに対しその外観からかわいい感じをもつ。従って、子供は、上記第１実施形態と同様に歯ブラシセットＳａを用いて歯を磨くように誘導され易い。
【００７４】
また、歯磨きを終えた子供が歯ブラシセットＳを適当に置くにあたっても、歯ブラシセットＳａの柄Ｄａは、上述のごとく、両吸盤状足部７４ａを有する。従って、子供は、上記第１実施形態と同様に、近傍の足部７４ａを吸着させ易い場所に吸盤状足部７４ａを押し付けて吸着させ易い。その結果、歯ブラシセットＳａが上述と同様に目立ち易い状態に維持されるので、その後の使用の際にも、歯ブラシセットＳａを見つけることは容易である。
【００７５】
なお、本考案の実施にあたり、上記各実施形態に限ることなく、次のような種々の変形例が挙げられる。
（１）本考案の実施にあたり、動物は、キリンやペンギン鳥に限ることなく、猿や象などの各種の４つ足或いは２つ足の動物をかわいい外観を有するように擬人化して歯ブラシ或いは歯ブラシセットに適用してもよい。
（２）また、本考案の実施にあたり、動物に限ることなく、消防車、パトカー、救急車、トラック或いは自動二輪車等の各種自動車をかわいい外観を有するように擬人化或いは模型化して歯ブラシ或いは歯ブラシセットに適用してもよい。
（３）また、本考案の実施にあたり、上記第１或いは第２の実施形態にて述べた柄の色やキャップの色は、適宜変更してもよい。
（４）また、本考案の実施にあたり、上記第１実施形態にて述べた歯ブラシセットの柄Ｂａは、各吸盤状足部３３ａを吸盤部として残し、把持部及びキャップからキリンの外観を呈する構成部分を除去してもよい。
（５）また、本考案の実施にあたり、上記第２実施形態にて述べた歯ブラシの柄Ｄａは、吸盤状足部７４ａを吸盤部として残し、把持部からペンギン鳥の外観を呈する構成部分を除去してもよい。
【符号の説明】
【００７６】
Ｂａ、Ｄａ…柄、Ｂ、Ｄ…歯ブラシ、Ｂｂ、Ｄｂ…ブラシ毛、
Ｃ、Ｅ…キャップ、Ｈ、Ｈａ…把持部、１１…扁平頭部、
１２、５２…細棒状頚部、２０…長楕円状緩衝層、３３ａ、７４ａ…吸盤状足部、
５１…矢尻板状頭部、６０…矢尻状緩衝層。
【図１】
0003162247.tif 000003
【図２】
0003162247.tif 000004
【図３】
0003162247.tif 000005
【図４】
0003162247.tif 000006
【図５】
0003162247.tif 000007
【図６】
0003162247.tif 000008
【図７】
0003162247.tif 000009
【図８】
0003162247.tif 000010
【図９】
0003162247.tif 000011
【図１０】
0003162247.tif 000012
【図１１】
0003162247.tif 000013